(57)【要約】【課題】画像表示操作装置、画像形成装置及び画像表示操作方法において、画像編集するときに、編集する対象となる画像とその他の画像との位置関係を明確にでき、画像の編集操作を容易にすることができる画像表示操作装置及び画像表示操作方法を提供する。【解決手段】表示パネル（１３２）と、操作ユニット側制御部（１３１）とを具備する操作ユニット（１２０）を備える画像形成装置（１００）において、表示パネル（１３２）は、画像を表示するプレビュー領域を含む複数の領域に分割された表示画面を表示し、操作ユニット側制御部（１３１）は、プレビュー領域を含む複数の領域に分割された表示画面を設定して表示するとともに、選択された表示モードに応じて、プレビュー領域の大きさを変更することを特徴とする。【選択図】図１０
2018057001.tif 000002
【特許請求の範囲】
【請求項１】
複数の表示モードを有する画像表示操作装置において、
画像を表示する画像表示領域を含む複数の領域に分割された表示画面を表示部に表示する表示制御部を備え、
前記表示制御部は、選択された表示モードに応じて、前記画像表示領域の大きさを変更することを特徴とする画像表示操作装置。
【請求項２】
前記画像表示領域の大きさは、前記表示部の長手方向に沿った長さを変えることにより変更されることを特徴とする請求項１に記載の画像表示操作装置。
【請求項３】
前記画像表示領域の大きさが変更されることに伴い、他の領域の大きさも変更されることを特徴とする請求項１または２に記載の画像表示操作装置。
【請求項４】
他の領域の大きさが小さくされた場合は、ユーザの再表示要求に応じて、小さくされた領域を大きく表示させることを特徴とする請求項３に記載の画像表示操作装置。
【請求項５】
小さくされた領域を大きく表示させる場合は、当該領域の下層の領域を透過可能に表示させることを特徴とする請求項４に記載の画像表示操作装置。
【請求項６】
他の領域には、少なくとも操作キー表示領域または機能選択領域が含まれることを特徴とする請求項３から５のうち何れか一項に記載の画像表示操作装置。
【請求項７】
表示画像の編集を優先する表示モードが選択された場合は、操作キー表示領域の大きさが小さくされることを特徴とする請求項６に記載の画像表示操作装置。
【請求項８】
請求項１から７のうち何れか一項に記載の画像表示操作装置と、入力された画像データに基づいて画像を記録媒体上に形成する画像形成部と、を具備することを特徴とする画像形成装置。
【請求項９】
複数の表示モードを有する画像表示操作装置の画像表示操作方法であって、
画像を表示する画像表示領域を含む複数の領域に分割された表示画面を表示部に表示する工程と、
選択された表示モードに応じて、前記画像表示領域の大きさを変更する工程と、
を備えることを特徴とする画像表示操作方法。
【発明の詳細な説明】
【技術分野】
【０００１】
本発明は、複写機やプリンタ、ファクシミリ等の画像形成装置に設けられる画像表示操作装置に係り、特に、入力された画像データに基づいて出力される画像のプレビューを表示することにより、ユーザが画像の状態を確認したり、画像を編集したりする機能を備える画像表示操作装置、画像形成装置及び画像表示操作方法に関する。
【背景技術】
【０００２】
最近の複写機は、デジタル複合機の特徴を提案すべく方法のひとつとして多彩な複写処理機能を搭載した製品として商品化されている。
【０００３】
例えば、デジタル複合機の一例として、画像データを追加入力する機能を有する入力手段と、前記入力手段により入力された画像データに基づいて画像出力を行なう出力手段とを備え、前記出力手段により出力される画像をプレビュー表示させて画像データを編集する機能を備える画像形成装置が知られている。このような画像形成装置によれば、ジョブの実行前に出力される画像の編集を簡単に行なうことができる。
【０００４】
そして、このような画像形成装置における操作パネルとして、最近では、タッチパネルディスプレイが多く用いられている。タッチパネルディスプレイは、液晶パネル（表示パネル）と、液晶パネル上に積層されたタッチパネルとを備えて構成されている。
【０００５】
通常、タッチパネルディスプレイには、画像形成装置における動作モードを選択するための項目（ソフトウェアボタン）が表示される。ユーザは、タッチパネルディスプレイ上に表示された項目の中から所望の項目の位置を押圧する。ユーザからは、自分がソフトウェアボタンを押圧したように感じられる。ユーザによりどの位置が押されたかに関する情報がタッチパネルから画像形成装置を制御するコンピュータに送られ、その押された位置に応じてどのような動作を行なうかがコンピュータ上で実行されるプログラムにより決定される。
【０００６】
タッチパネルディスプレイは、表示機能と操作機能とをともに提供できる。表示部と操作部とを別々に備えたものより設置面積が少ない点、多彩な表示ができる点、及び多彩な機能を提供できる点で優れている。
【０００７】
また、近年のタッチパネルディスプレイは、ユーザがタッチパネルディスプレイ表面に接触した指を動かした軌跡を認識する機能が実現されている。この機能により、ユーザはタッチパネルディスプレイ上で指を動かすことで、その動きに感覚的に合致した適切な動作を指示できる。こうした動作により電子機器を操作することを本明細書では「ジェスチャー操作」と呼ぶ。ジェスチャー操作には以下のようなものがある。
【０００８】
スキャン機能で読込んだ画像のプレビューをタッチパネルディスプレイに表示している場合、以下のような操作が可能である。
【０００９】
（１）タッチパネルディスプレイにおいて、操作の対象となる画像が表示された位置を、指で軽く２回叩く。こうした操作を「ダブルタップ」と呼ぶ。画像がダブルタップされた時には、その画像を拡大して表示したり、縮小して表示したり、その画像の編集をするモードに移行したりすることが考えられる。
【００１０】
（２）操作の対象となる画像の上で（画像にタッチした状態で）、２本の指を互いの間隔が大きくなるように動かす。こうした操作を「ピンチアウト」または「ピンチオープン」と呼ぶ。画像上でピンチアウトまたはピンチオープンがされたときには、その画像を指の動きに合わせて拡大して表示することが考えられる。
【００１１】
（３）操作の対象となる画像の上で、２本の指を互いの間隔が小さくなるように動かす。こうした操作を「ピンチイン」または「ピンチクローズ」と呼ぶ。画像の上でピンチインまたはピンチクローズがされたときには、その画像を指の動きに合わせて縮小表示することが考えられる。
【００１２】
これら以外にも、操作の対象となる画像が表示された位置を指で軽く叩くタップ、表示された画像を指でずらすドラッグ、表示された画像を指で軽くはらうフリック、表示された画像を２本の指でつまむピンチ等もジェスチャー操作の一例である。
なお、タップおよびダブルタップについては、タッチパネルディスプレイに対するユーザの操作軌跡を検出するものではなく、厳密にはジェスチャーということはできないかもしれない。しかし、ここでは、タップおよびダブルタップも含めて、画像に対する上記した操作をジェスチャー操作と呼ぶ。
【００１３】
本明細書においては、タッチパネルディスプレイに対する操作であって、上記したジェスチャー操作以外の操作を「タッチ操作」と呼ぶ。
タッチ操作とは、画像に対する直接的な操作ではなく、一般的に、ハードウェアキーの代替物としての機能を実現するための操作のことをいう。典型的には、タッチパネルディスプレイ上に表示されたソフトウェアボタン（一般的にはユーザインターフェイス部品）の表示位置と、タッチパネルディスプレイに対するユーザの操作位置とに基づいて、ユーザの要求を検出する操作のことをいう。
【００１４】
このようなタッチパネルディスプレイを操作パネルとして持つ複合機においては、画像に対する様々な仕上げ処理の設定を操作パネル上で行なうことが可能となる。仕上げ処理は、余白サイズなどの各種画像処理に関する設定、スタンプ押印処理、ステープル処理またはパンチ孔あけ処理等を含む。
【００１５】
しかしながら、従来の複合機では、仕上げ処理を行なうと実際の印刷が失敗する場合があった。例えば、パンチ孔をあける仕上がり処理を設定して実際に印刷してみると、パンチ孔の位置と出力画像とが重なったミスコピーとなることがある。その結果、消耗品（トナーおよび記録用紙）が無駄になる。
【００１６】
そこで、画像形成装置におけるコピーの動作モードの基本画面において、画像のプレビュー表示を可能にする技術が提案されている（特許文献１を参照）。
この画像形成装置によると、操作表示部の画面は大きく３つに分割される。
操作表示部の両側の領域には、画像形成時の条件を設定したり、仕上がり条件を設定したりするためのソフトウェアボタンが配置される。中央には、原稿のプレビュー画像が配置される。
【００１７】
この画像形成装置におけるプレビュー画像の表示態様には複数種類がある。
１番目の表示態様は、所定枚数（例えば、５枚）の画像を横に配列するものである。この場合、操作表示部の中央に配置される画像は他のものより大きく表示される。
２番目の表示態様は、読込まれる複数の原稿のうちの奇数ページと偶数ページの画像を見開き状態で表示する表示方法である。操作表示部に表示される画像のページ数が多数あるときは、これら見開きのページが本（冊子）のように積み重ねられて表示される。
３番目は、複数の原稿画像をマトリクス状に配列して表示する方法である。原稿画像が画面に表示しきれないときには、画面をスクロールすることで全てを確認することができる。
【００１８】
以上のように、特許文献１に記載の技術によれば、プレビュー表示を有効に利用することにより、原稿の仕上がり状態を確認でき、仕上がり処理の設定ミスやコピーの失敗等を減少させることができる。
【先行技術文献】
【特許文献】
【００１９】
【特許文献１】特開２００８−２０３４３９号公報
【発明の概要】
【発明が解決しようとする課題】
【００２０】
しかしながら、特許文献１に記載の技術では、以下に示す問題がある。
すなわち、複数ページをプレビュー表示する場合、複数ページのうち特定されたページを別の位置に移動しようとするときに、それらのページを含む一連のページをプレビュー領域に表示する必要があるが、特許文献１に記載の技術では、１ページや見開きページでプレビュー表示しているときに、特定したページを別の位置に移動させようとすると、特定したページの前後関係が解らないため、操作ができなかったり、操作し難くなったりするという問題がある。
【００２１】
本発明は、上記従来の課題に鑑みてなされたものであり、画像表示操作装置、及び、画像形成装置において、画像編集するときに、編集する対象となる画像とその他の画像との位置関係を明確にでき、画像の編集操作を容易にすることができる画像表示操作装置、画像形成装置及び画像表示操作方法を提供することを目的とする。
【課題を解決するための手段】
【００２２】
本発明の第１要旨は、複数の表示モードを有する画像表示操作装置において、画像を表示する画像表示領域を含む複数の領域に分割された表示画面を表示部に表示する表示制御部を備え、前記表示制御部は、選択された表示モードに応じて、前記画像表示領域の大きさを変更することを特徴とする。
【００２３】
本発明の第２要旨は、第１要旨に記載の画像表示操作装置において、前記画像表示領域の大きさの変更は、前記表示部の長手方向に沿った長さを変えることにより変更されることを特徴とする。
【００２４】
本発明の第３要旨は、第１要旨または第２要旨に記載の画像表示操作装置において、前記画像表示領域の大きさが変更されることに伴い、他の領域の大きさも変更されることを特徴とする。
【００２５】
本発明の第４要旨は、第３要旨に記載の画像表示操作装置において、他の領域の大きさが小さくされた場合は、ユーザの再表示要求に応じて、小さくされた領域を大きく表示させることを特徴とする。
本発明の第５要旨は、第４要旨に記載の画像表示操作装置において、小さくされた領域を大きく表示させる場合は、当該領域の下層の領域を透過可能に表示させることを特徴とする。
本発明の第６要旨は、第３要旨から第５要旨のうち何れか一項に記載の画像表示操作装置において、他の領域には、少なくとも操作キー表示領域または機能選択領域が含まれることを特徴とする。
本発明の第７要旨は、第６要旨に記載の画像表示操作装置において、表示画像の編集を優先する表示モードが選択された場合は、操作キー表示領域の大きさが小さくされることを特徴とする。
【００２６】
本発明の第８要旨は、画像形成装置において、複数の表示モードを有し、画像を表示する画像表示領域を含む複数の領域に分割された表示画面を表示部に表示する表示制御部を備え、前記表示制御部は、選択された表示モードに応じて、前記画像表示領域の大きさを変更する、という構成を備える画像表示操作装置と、入力された画像データに基づいて画像を記録媒体上に形成する画像形成部と、を具備することを特徴とする。
【００２７】
本発明の第９要旨は、複数の表示モードを有する画像表示操作装置の画像表示操作方法であって、画像を表示する画像表示領域を含む複数の領域に分割された表示画面を表示部に表示する行程と、選択された表示モードに応じて、前記画像表示領域の大きさを変更する行程と、を備えることを特徴とする。
【発明の効果】
【００２８】
本発明によれば、画像表示操作装置は、複数の表示モードを有し、画像を表示する画像表示領域を含む複数の領域に分割された表示画面を表示部に表示する表示制御部を備え、前記表示制御部は、選択された表示モードに応じて、前記画像表示領域の大きさを変更するように構成することで、例えば、利用者がページ移動などの編集操作をしようとする際には、表示されているプレビュー画像の数が多くなるように画像表示モードを選択して表示することで、編集する対象となる画像とその他の画像との位置関係を明確にでき、利用者の編集操作を容易にすることができる。これにより、操作ミスなどによりミスコピーを無くすことができ、操作性の向上を図ることができる。
【００２９】
また、本発明によれば、画像形成装置は、複数の表示モードを有し、画像を表示する画像表示領域を含む複数の領域に分割された表示画面を表示部に表示する表示制御部を備え、前記表示制御部は、選択された表示モードに応じて、前記画像表示領域の大きさを変更する、という構成の備える画像表示操作装置と、入力された画像データに基づいて画像を記録媒体上に形成する画像形成部と、を具備することで、例えば、利用者がページ移動などの編集操作をしようとする際には、表示されているプレビュー画像の数が多くなるように画像表示モードを選択して表示することで、編集する対象となる画像とその他の画像との位置関係を明確にでき、利用者の編集操作を容易にすることができる。これにより、操作ミスなどによりミスコピーを無くすことができ、操作性の向上を図ることができる。
【００３０】
また、本発明によれば、画像表示操作方法は、複数の表示モードを有する画像表示操作装置の画像表示操作方法であって、画像を表示する画像表示領域を含む複数の分割された表示画面を表示部に表示する行程と、選択された表示モードに応じて、前記画像表示領域の大きさを変更する行程と、を備えることで、例えば、利用者がページ移動などの編集操作をしようとする際には、表示されているプレビュー画像の数が多くなるように画像表示モードを選択して表示することで、編集する対象となる画像とその他の画像との位置関係を明確にでき、利用者の編集操作を容易にすることができる。これにより、操作ミスなどによりミスコピーを無くすことができ、操作性の向上を図ることができる。
【図面の簡単な説明】
【００３１】
【図１】本発明の実施形態に係る画像形成装置の全体の構成を示す説明図である。
【図２】前記画像形成装置の内部構成を簡略化して示す説明図である。
【図３】前記画像形成装置のハードウェア構成を示す機能ブロック図である。
【図４】前記実施形態の画像形成装置のタッチパネルに表示されるホーム画面を示す説明図である。
【図５】前記画像形成装置のタッチパネルディスプレイにおける表示画面の表示領域の分割の態様を示す説明図である。
【図６】前記画像形成装置のプレビュー表示におけるフィットモードにおける表示領域の分割の態様を示す説明図である。
【図７】前記画像形成装置のプレビュー表示における仕上がりプレビューモードにおける表示領域の分割の態様を示す説明図である。
【図８】前記画像形成装置のプレビュー表示における画像編集モードにおける表示領域の分割の態様を示す説明図である。
【図９】前記画像形成装置のプレビュー表示における原稿表示モードにおける表示領域の分割の態様を示す説明図である。
【図１０】前記画像形成装置における操作ユニットの構成を示すブロック図である。
【図１１】前記操作ユニットを構成するタッチパネルディスプレイの構成を示すブロック図である。
【図１２】（ａ）は実施例の画像形成装置において画面表示モードがフィットモードのときの表示画面の一例を示す説明図、（ｂ）は前記画像形成装置において画面表示モードが画像編集モード（１Ｄモード）に切り換ったときの表示画面の一例を示す説明図である。
【発明を実施するための形態】
【００３２】
以下、本発明の実施形態について図面を参照して説明する。
図１は発明を実施する形態の一例であって、本発明の実施形態に係る画像形成装置の全体の構成を示す説明図、図２は前記画像形成装置の内部構成を簡略化して示す説明図、図３は前記画像形成装置のハードウェア構成を示す機能ブロック図である。
【００３３】
本発明の実施形態は、図１に示すように、画像データを追加入力する機能を有する原稿読取部１０２と、原稿読取部１０２により入力された画像データに基づいて記録媒体上に画像を形成する画像形成部１０４と、画像データに基づいてプレビュー画像を表示する表示パネル（表示手段）１３２と原稿読取部１０２から入力される画像データに基づく表示画像を表示パネル１３２上にプレビュー表示する機能を有する操作ユニット（画像表示操作装置）１２０とを備える画像形成装置１００において、操作ユニット１２０の構成として、本発明に係る画像表示操作装置の構成を採用したものである。
【００３４】
画像表示操作装置として機能する操作ユニット１２０は、画像形成部１０４により出力される画像の画像出力条件を設定する機能を備えて、出力される画像の画像出力条件を表示パネル１３２上で設定するように構成されている。
【００３５】
表示パネル１３２に表示される複数原稿画像は、画像形成装置１００の原稿読取部などから取り込まれた原稿画像の形態をプレビュー表示するものであり、且つ、画像形成部から記録用紙上に形成される画像の出力形態を仕上がりプレビュー画像として表示するものである。
【００３６】
本実施形態に係る画像形成装置１００は、画像処理装置の１種である画像形成装置である。本発明に係る画像表示操作装置の適用は、このような画像形成装置以外の画像処理装置または電子機器であっても構わない。
【００３７】
また、本実施形態に係る画像形成装置１００は、複数の動作モードを備え、その動作モードが切り換えられて表示機器の画面が切り換えられた場合において、ユーザが画面構成を覚えていなくても、ユーザが求める情報をユーザが容易に取得することができるように、情報を表示する表示機器を備えた装置であればよい。
【００３８】
なお、本実施形態に係る画像形成装置１００は、ジェスチャー操作方法とジェスチャー操作によらないタッチ操作方法とにより操作が可能なタッチパネルディスプレイ（操作画面）を備えるとするが、タッチ操作のみが可能なタッチパネルディスプレイを備える装置であってもよく、さらには、操作が不可能な表示のみ可能な表示パネルおよび操作用のボタンを備える装置であってもよい。
【００３９】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００４０】
また、本発明はこれに限定されず、動作モード毎に画面が切り換わる画像形成装置であれば構わない。また、印刷方式は電子写真方式に限定されない。
【００４１】
まず、本発明の実施形態に係る画像形成装置１００について説明する。
本実施形態に係る画像形成装置１００は、図１に示すように、原稿読取部１０２、画像形成部１０４、給紙部１０６、排紙処理装置１０８、および、操作ユニット１２０を備える。
【００４２】
操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル（タッチ操作認識手段）１３４とで構成される。表示操作部１４０は、表示灯１４２と、電源キー１４４と、省エネルギーキー（以下「省エネキー」と記載）１４６と、動作モードを選択するホーム画面ヘタッチパネルディスプレイ１３０の表示画面を戻すためのホームキー１４８とで構成される。
【００４３】
このように画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。
【００４４】
なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００４５】
（コピーモード）
以下において、画像形成装置１００のコピーモードでの動作について説明する。
このコピーモードにおいては、主として、原稿読取部（以下、「スキャナ部」と称する。）１０２および画像形成部１０４が動作する。
【００４６】
画像形成装置１００においては、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データが画像形成部１０４へと出力される。
【００４７】
画像形成部１０４は、図２に示すように、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００４８】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００４９】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００５０】
感光体ドラム２２２は、一方向に回転し、その表面は、クリーニング装置２３２と除電装置によりクリーニングされた後、帯電装置２２４により均一に帯電される。
【００５１】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００５２】
現像装置２２８は、トナーを感光体ドラム２２２の表面に供給して静電潜像を現像し、トナー像を感光体ドラム２２２の表面に形成する。
【００５３】
転写装置２３０は、当該転写装置２３０と感光体ドラム２２２との間を通過していく記録用紙に感光体ドラム２２２の表面のトナー像を転写する。
【００５４】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、例えば、このヒータへ供給される電力が停止されたり削減されたりする。
【００５５】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００５６】
記録用紙の両面に印刷が行なわれる場合は、分岐爪２４４が所定方向に回動されて記録用紙が一旦排紙トレイ２４６側へ導かれた後、スイッチバック搬送されて反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００５７】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００５８】
排紙処理装置１０８では、複数の記録用紙を各排紙トレイ１１０に仕分けして排出する処理、各記録用紙にパンチングする処理、および各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット１１１によるパンチング処理またはステープルユニット１１２によるステープル処理を施して印刷物を作成する。
【００５９】
（ファクシミリモード）
以下において、ファクシミリモードでの動作について説明する。
このファクシミリモードにおいては、図３に示すように、主として、送信動作は原稿読取部（スキャナ部）１０２およびＦＡＸ通信部１６０が動作することにより、受信動作はＦＡＸ通信部１６０および画像形成部１０４が動作する。
【００６０】
（送信動作）
画像形成装置１００においては、ファクシミリモードを指定して、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１６０）へと出力される。
【００６１】
図３に示すように、送信側の画像形成装置１００のＦＡＸ通信部１６０は、指定された送信側の回線を指定された送信先に接続して、画像データをファクシミリ通信規格に合致した通信データへ変換して、受信側のファクシミリ装置（例えばファクシミリ機能を備えた画像形成装置１００）へ送信する。
【００６２】
（通信動作）
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側および受信側で互いに実装されている能力情報の受渡しを行ない、利用可能な最大能力での通信速度および画像データの符号化・符号訂正方式などを決定してモデムの通信方式を設定する。この通信方式に合わせた画像信号静式を用いて、送信側の画像形成装置１００のＦＡＸ通信部１６０から受信側の画像形成装置１００のＦＡＸ通信部１６０ヘデータを送信する。送信が終了すると回線が切断される。
【００６３】
（受信動作）
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００６４】
次に、画像形成装置１００の制御ブロック構成について図面を参照して説明する。
図３に示すように、画像形成装置１００は、さらに、コピーモード、ファクシミリモードとして装置が搭載する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００６５】
画像形成装置１００は、さらに、原稿読取部１０２、画像形成部１０４、ＦＡＸ通信部１６０、操作ユニット１２０、ＲＯＭ３０６、ハードディスク３０２、およびＲＡＭ３０８に接続されるパス３１０と、パス３１０に接続された、画像形成装置としての一般的機能を実現するためのＣＰＵ３００とを含む。
【００６６】
ハードディスク３０２には、この画像形成装置１００でスキャンした原稿の画像データのファイルが記憶される。また、ハードディスク３０２には、各動作モードの初期画面データが記憶されている。（ハードディスク３０２でなくてもＲＯＭ３０６に記憶させておくことも可能）
【００６７】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行なうとともに画像形成装置１００の各機能に関する制御を実行する。
【００６８】
図３に示すように、この画像形成装置１００のＦＡＸ通信部１６０には、画像データの送受信用に公衆回線が接続され、ネットワークインターフェイス３０４には、ネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００６９】
ＲＡＭ３０８は、ＣＰＵ３００による演算および処理の結果を一時的に記憶するワーキングメモリとしての機能と、画像データを記憶するフレームメモリとしての機能とを提供する。
【００７０】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００７１】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００７２】
上述したように、このタッチパネルディスプレイ１３０は、表示パネル１３２と、表示パネル１３２に重ねて配置されたタッチパネル１３４とで構成される。
【００７３】
このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２のプレビュー表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００はこのようなタッチ操作（ユーザによる押圧位置に基づくコマンド入力操作）に加えて、上述したジェスチャー操作（ユーザによる操作軌跡に基づくコマンド入力操作）にも対応している。
【００７４】
また、表示操作部１４０の表示灯１４２は、例えばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（例えば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００７５】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。例えば、このキーランプは、円型のキーの５周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００７６】
本実施形態に係る画像形成装置１００においては、上述した２つの動作モード（コピーモード、ファクスモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００７７】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特にこの画像形成装置１００においては、主たる表示操作デバイスとして設けられたタッチパネルディスプレイ１３０のホーム画面において動作モードを選択すると、各動作モードの初期画面が表示される。
【００７８】
この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能である。（３）「機能選択領域」の大きさを表示モードによって変更する。これと連動して「プレビュー領域」の大きさも変更される。機能設定情報およびプレビュー情報をユーザに的確に伝達することができる。（４）「プレビュー領域」を中央にして「機能選択領域」と「アクションパネル領域」および「タスクトリガー領域」とを互いに反対側に配置してある。その結果、一方側に配置された領域（「機能選択領域」）で機能を選択し、中央に配置された領域で選択された機能による処理をプレビューで確認して、他方側に配置された領域（「アクションパネル領域」および「タスクトリガー領域」）で処理の実行を要求することが可能である。すなわち、処理に伴う目の動きと手の動きとが直線的となり、円滑に操作することができる。
【００７９】
ここで、画像形成装置１００のタッチパネルディスプレイ１３０におけるホーム画面について図面を参照して説明する。
図４は本実施形態の画像形成装置のタッチパネルに表示されるホーム画面を示す説明図である。
【００８０】
画像形成装置１００のホーム画面３３０は、図４に示すように、上述したシステム領域に対応するホームシステム領域３４０と、アイコン表示領域３５０と、アイコン表示切換タブボタン３５２と、メモ表示領域３５４とを含む。
【００８１】
ホームシステム領域３４０には、ホーム画面を示すアイコンが表示されるエリア３４２、表示されている画面の名称が表示されるエリア３４４、ログインユーザ名が表示されるエリア３４６、及びログアウトボタン（ソフトウェアボタン）が表示されるエリア３４８が配置されている。ホームシステム領域３４０の右端には、現在時刻が表示されるエリアが配置される。
【００８２】
アイコン表示領域３５０には、動作モードを表すアイコンがその動作モードの名称または略称とともに表示される。本実施形態においては、コピーモードを選択するためのアイコン３７２、ファクスモードを選択するためのアイコン３６２、ドキュメントファイリングモードを選択するためのアイコン３７０、メールモードを選択するためのアイコン３６０等がアイコン表示領域３５０に表示される。また、アイコン表示領域３５０には、これら以外の処理を選択するためのアイコンも示してある。これらアイコンは、例えば、システム設定処理を起動するアイコン、言語の設定処理を起動するためのアイコン、ジョブ状況を表示させるためのアイコンなどを含む。
【００８３】
本実施形態では、アイコン表示領域３５０においては、アイコンが上下左右に３段７行のマトリクス状に配列される。アイコン表示領域３５０の中央よりに配置されたアイコンは、周辺側に配置されたアイコンよりも大きく表示される。
【００８４】
アイコン表示領域３５０をユーザが左にフリック操作すると、画面に表示されるアイコン（アイコン配列）が、矢印３３２で示す方向へ流れるように移動する。ユーザがアイコン表示領域３５０を右にフリック操作すると、画面に表示されるアイコンが矢印３３４で示す方向へ流れるように移動する。
【００８５】
本実施形態では、フリック操作による画面上のアイコンの移動量は、フリック操作における指先の移動量及びその速度により定める。指先の移動速度が等しければ、移動量が大きいほどアイコンの移動量は大きくなる。指先の移動量が等しければ、移動速度が大きいほどアイコンの移動量は大きくなる。画面の移動の初速度は、指先の移動速度とほぼ等しくすることが好ましい。
【００８６】
このアイコン表示領域３５０のアイコンは、仮想的な円筒の側面に配置されたように移動することが想定されている。すなわち、画面を右側に繰返し移動させると、円筒を回転させたときのように、同じ画面が繰返し表示される。
【００８７】
メモ表示領域３５４には、この画像形成装置１００のユーザ全般に知らせたいメンテナンス情報等が表示される。
【００８８】
次に、画像形成装置１００のタッチパネルディスプレイ１３０における表示画面の基本レイアウトの構成について、コピーモード動作時の基本レイアウトを例に挙げて説明する。
図５は本実施形態の画像形成装置のタッチパネルディスプレイにおける表示画面の表示領域の分割の態様を示す説明図である。
【００８９】
（コピー基本画面のレイアウト）
画像形成装置１００のタッチパネルディスプレイ１３０におけるコピーモードにおける基本画面（以下、「コピー基本画面」と称する。）は、図５に示すように、コピーモードが選択されたときに最初に表示される画面である。
【００９０】
本実施形態の１つの特徴は、コピー基本画面を含め、基本的に全ての画面においてプレビューが可能なことである。同様の画像のプレビューは、例えば、ファクス送信、メールによる画像送信、画像のファイリングなどのときにも選択可能である。これら動作モードのいずれにおいても、プレビュー表示に関する基本的な画面構成は同様である。したがって以下の説明ではコピー基本画面についてのみ説明する。
【００９１】
まず、画像形成装置１００のタッチパネルディスプレイ１３０における基本レイアウトについて図面を参照して説明する。
タッチパネルディスプレイ１３０の基本レイアウトは、図５に示すように、横長のタッチパネルディスプレイ１３０において（例えば、横１０２４ピクセル×縦６００ピクセル）、最上部に配置されたシステム領域４００、画面中央部に配置されたプレビュー領域（プレビュー表示領域）４８０、プレビュー領域４８０の左側に配置された機能設定／確認領域４１０（以下、機能選択領域４１０と記載する）、プレビュー領域４８０の右上部に配置されたアクションパネル領域４８２、および、プレビュー領域４８０の右下部に配置されたタスクトリガー領域（操作キー表示領域）４８４で構成される。
【００９２】
なお、タッチパネルディスプレイ１３０における領域の数は５つに限定されるものではなく、左右の並びもこれに限定されず、例えば、ユーザの利き手に応じて領域の左右の配置を逆にしても構わない。また、システム領域４００の位置は最下部であっても構わない。また、状態もしくは設定によっては表示されなくても構わない。
【００９３】
システム領域４１０には、この画像形成装置１００の現時点での状態が表示され、操作中の動作モードのタイトル、画像形成装置１００の状況・状態が表示される。例えば、システム領域４００には、動作モード名、割り込みキー、ログインユーザ名、処理中のジョブ状況、内蔵メモリ使用状態、時刻等が表示される。
【００９４】
機能選択領域４１０には、各機能の設定、表示の切り換え、設定の確認のためにユーザにより操作される機能選択メニュー（アイコン、ボタン等）が、アイコンモード、レギュラーモードおよびエキスプレスモードで表示態様を変更して表示される。
【００９５】
アイコンモードにおいては、プレビュー領域４８０が最も広くなるように機能選択領域４１０には機能設定用のアイコンのみが表示される。
エキスプレスモードにおいては、プレビュー領域４８０が最も狭くなっても機能選択領域４１０には機能を一度に設定できる画面が大きく表示される。
レギュラーモードにおいては、プレビュー領域４８０の大きさはアイコンモードとエキスプレスモードとの中間の大きさであって、機能選択領域４１０には機能設定のアイコンとともに機能名称がテキスト表示される。
【００９６】
プレビュー領域４８０には、原稿の出力（仕上がり）イメージが表示される。ダミーデータまたはスキャンデータを用いてイメージ表示し、ユーザが仕上がりを変更する毎にプレビュー領域４８０に表示されているイメージが変更される。このプレビュー領域４８０においては、スキャン前のバーチヤルモードでのダミーイメージでの仕上がり表示、スキャン後のスキャンインモードでの実イメージでの仕上がり表示の２つのモードを有し、さらにバーチヤルモードには、原稿セット前および原稿セット後の２種類がある。
【００９７】
プレビュー領域４８０には、その下部にプレビュー領域４８０の表示スタイルを変更するプレビュー変更ボタン群４５０を備える。プレビュー変更ボタン群４５０には、プレビューを所望の角度だけ回転させるための回転ボタン４５８、プレビュー画像の拡大及び縮小のためのズームバー４６０、後述する原稿表示モードへの変更を指示する原稿表示モードボタン４５２、仕上がりプレビュー画面への変更を指示する仕上がりプレビューボタン４５４、及びフィット・トゥー・スクリーンモード（以下、「フィットモード」と称する。）への変更を指示するフィット・トゥー・スクリーンボタン４５６が配置されている。
【００９８】
回転ボタン４５８をタッチ操作するとプレビューの回転角度を指定するダイアログが表示される。所望の角度を指定するとプレビュー領域に表示されたプレビュー画像がその角度だけ回転される。プレビュー画像に対し、ジェスチャー操作を行なってもプレビューを回転させることができる。例えば、プレビュー画像の上に２本の指を当て、指先を回転させると、プレビュー画像が指の回転方向に沿って、指の移動量に従って定まる角度だけ回転する。
【００９９】
ズームバー４６０のプラスボタン４６２をタッチ操作したり、バ−４６６をプラスボタン４６２側へジェスチャー操作（ドラッグまたはスライド）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【０１００】
ズームバー４６０のマイナスボタン４６４をタッチ操作したり、バ−４６６をマイナスボタン４６４側ヘジェスチャー操作（ドラッグまたはスライド）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【０１０１】
なお、プレビュー領域４８０に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをスライドタッチ（フリック操作）してもプレビューされる原稿のページ送り、ページ戻しを行なうことができる。また、プレビュー領域４８０に表示される原稿イメージが大きい場合には、タッチ操作またはジェスチャー操作可能なスクロールバーを表示するようにしても構わない。
【０１０２】
アクションパネル領域４８２には、操作についての補助・助言・提案についての情報が表示される。このアクションパネル領域４８２には、例えば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【０１０３】
アクションパネル領域４８２の左側には、アクションパネル領域４８２を縮小表示させるときにユーザが操作するアクションパネル縮小ボタン４８６が表示される。
アクションパネル縮小ボタン４８６を押すと、後述するようにアクションパネル領域４８２が縮小表示されて画面の右側にボタン形式で表示される。再度アクションパネル縮小ボタン４８６を押すと縮小表示されていたアクションパネル領域４８２が拡大して表示される。すなわち、ユーザがボタンを押すことでアクションパネル領域４８２を縮小または拡大させることができる。それに伴い、プレビュー領域４８０は拡大または縮小される。このような画面操作により、プレビュー画像の確認と操作ヒントの確認とをユーザの意思に基づいて容易に行なうことができる。
【０１０４】
タスクトリガー領域４８４には、画像形成装置１００にある処理を開始させるためのトリガーとなる項目（ソフトウェアボタン）が表示される。項目の表示は、特定された動作モードにおける全ての設定が完了して、画像形成装置１００を実際に動作させることが可能になったときに表示される。例えば、タスクトリガー領域４８４には、スキャン開始ボタン（図６以降では「ＳＣＡＮ  ＩＮ」ボタン）、モノクロコピー開始ボタン（ＭＯＮＯ  ＳＴＡＲＴ）、カラーコピー開始ボタン（ＣＯＬＯＲ  ＳＴＡＲＴ）、及びクリアーオールボタン（ＣＡ）が表示される。
【０１０５】
スキャン開始ボタンは、コピー、ＦＡＸ送信などにおいて、原稿を一旦読込んでプレビューする処理を開始させるためのボタンである。
モノクロコピー開始ボタンは、原稿を読込んで直ちに記録用紙上にそのモノクロ画像を形成する処理を開始させるためのボタンである。
カラーコピー開始ボタンは、同様に直ちに原稿のカラー画像を形成する処理を開始させるボタンである。クリアーオールボタンは、入力された情報を全てクリアさせるためのボタンである。
【０１０６】
これらの５領域は、動作モードが変更されても（どの動作モードの初期画面においても）、その配置された位置は変更されない。また、機能選択領域４１０（およびプレビュー領域４８０）におけるアイコンモード／レギュラーモード／エキスプレスモードの切り換え表示のように、領域はタッチパネルディスプレイ１３０の画面横方向（長手方向）に伸縮してサイズが変化する。
【０１０７】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。
【０１０８】
なお、ある動作モードから他の動作モードへ遷移するためには、通常の操作では、ホームキー１４８を押下して、ホーム画面において他の動作モードを選択する。このように、ホーム画面を経由して、動作モードが切り換えられる。
【０１０９】
（各画像表示モードにおける表示レイアウト）
次に、画像形成装置１００における各動作モードに対応した画像表示モードについて図面を参照して説明する。
図６は本実施形態の画像形成装置のプレビュー表示におけるフィットモードにおける表示領域の分割の態様を示す説明図、図７は前記画像形成装置のプレビュー表示における仕上がりプレビューモードにおける表示領域の分割の態様を示す説明図、図８は前記画像形成装置のプレビュー表示における画像編集モードにおける表示領域の分割の態様を示す説明図、図９は前記画像形成装置のプレビュー表示における原稿表示モードにおける表示領域の分割の態様を示す説明図である。
【０１１０】
画像形成装置１００において操作ユニット１２０は、画像データを編集する機能に応じて、（１）フィットモード、（２）仕上がりプレビューモード、（３）画像編集モード、（４）原稿表示モード、という複数の画像表示モードを備えている。
以下、プレビューを用いた各画像表示モードでの画面構成について説明する。
【０１１１】
なお、いずれの画面表示モードにおいても、タッチパネルディスプレイ１３０に表示されるプレビュー領域４８０、機能選択領域４１０、アクションパネル領域４８２、及びタスクトリガー領域４８４の配置位置は基本的には同じである。ただし、それらの幅（タッチパネルディスプレイ１３０の長手方向の長さ）が、画面により変化する。
【０１１２】
（１）フィットモード
フィットモードでは、図６に示すように、タッチパネルディスプレイ１３０にはフィット・トゥー・スクリーン画面５００が表示される。フィット・トゥー・スクリーン画面５００は、例えばスキャンイン操作が完了したときに読込んだ画像を表示するときに使用される。
【０１１３】
フィット・トゥー・スクリーン画面５００の中央には、プレビュー領域４８０が配置される。ここには、１ページ分の原稿のプレビュー画像５０２がこのプレビュー領域４８０内でできるだけ大きくなるように表示される。
【０１１４】
プレビュー領域４８０の左側には、機能選択領域４１０が配置される。
機能選択領域４１０には、機能アイコン群５１２と、各機能アイコンの機能を説明するテキスト群５１４とが表示される。
プレビュー領域４８０の右側の上部には、アクションパネル領域４８２が配置される。その下にはタスクトリガー領域４８４が配置される。
【０１１５】
機能選択領域４１０の右端を左側にフリックすると、機能選択領域４１０が画面左側に縮小表示され、機能アイコン群５１２のみが表示される。テキスト群５１４は消去される。この状態でも、機能選択のための機能アイコン群５１２が表示されているため、ユーザは各機能について意識することができる。その結果、機能を選択する際にユーザが混乱することなく操作することができる。
【０１１６】
さらに、機能選択領域４１０の右端を右側にフリックすると、機能選択領域４１０が右側に引出される。このとき、機能選択領域４１０の背景は半透明となり、ユーザはプレビュー領域４８０の画像を見ることができる。機能を選択する際にもプレビュー画像の全体を確認できる。これにより、ユーザは容易に適切な機能を選択することができる。
【０１１７】
アクションパネル縮小ボタン４８６を押すと、アクションパネル領域４８２は右側に縮小表示され、展開ボタン５２２（図８を参照）が表示される。展開ボタン５２２を押すとアクションパネル領域４８２が左側に展開表示される。この操作は、他の画面表示モードにおける表示画面でも同様である。
【０１１８】
（２）仕上がりプレビューモード
仕上がりプレビューモードでは、図７に示すように、タッチパネルディスプレイ１３０には仕上がりプレビュー画面５１０が表示される。仕上がりプレビュー画面５１０の中央部には、プレビュー領域４８０が配置される。プレビュー領域４８０には、複数枚の原稿のプレビュー画像が表示される。
【０１１９】
仕上がりプレビュー画面５１０の左側には、機能選択領域４１０が縮小表示される。
機能選択領域４１０には、機能アイコン群５１２のみが表示される。テキスト群５１４は表示されない。プレビュー領域４８０の右側の上部には、アクションパネル領域４８２が配置される。その下にはタスクトリガー領域４８４が配置される。
【０１２０】
機能選択領域４１０の幅が縮小した分だけプレビュー領域４８０の横幅が大きくなっている。そのため、仕上がりプレビューのように多数の画像をプレビュー領域４８０の内部に配置したときに全体の構成が分かりやすくなる。プレビュー領域４８０の中央に配置された画像も、その内容が十分に確認できる程度に大きく表示される。
【０１２１】
仕上がりプレビューモードでは、機能アイコン群５１２のみが表示され、テキスト群５１４は表示されない。しかし、機能アイコン群５１２の右端を右側にフリックすると、機能アイコン群５１２から機能選択領域４１０が右側に展開して表示される。展開後は、機能アイコン群５１２の右側にテキスト群５１４が表示され、フィット・トゥー・スクリーン画面５００と同様になる。ただし、機能選択領域４１０半透明となる。機能選択領域４１０を通して、その下のプレビュー領域４８０の画像を見ることができる。
【０１２２】
機能選択領域４１０が展開された後、機能アイコンまたはテキストが操作されることなく所定時間が経過すると、機能選択領域４１０は再び縮小され、機能アイコン群５１２のみの表示に戻る。また、ユーザにより選択された機能の実行が完了したときにも、機能選択領域４１０は縮小され、機能アイコン群５１２のみの表示に戻る。
【０１２３】
（３）画像編集モード（１Ｄモード）
画像編集モードでは、図８に示すように、タッチパネルディスプレイ１３０には画像編集モード画面５２０が表示される。画像編集モード画面５２０の中央部には、プレビュー領域４８０が配置される。プレビュー領域４８０には、複数枚の原稿のプレビュー画像が並んで表示される。画像編集モード画面５２０においては、単に画像が表示されるだけではなく、白紙ページの挿入、画像の一部領域の消去、などの処理を行なうことができる。
【０１２４】
画像編集モード画面５２０の左側には、仕上がりプレビュー画面５１０と同様に、機能選択領域４１０が縮小表示される。機能選択領域４１０には、機能アイコン群５１２のみが表示される。
【０１２５】
画像編集モード画面５２０は、仕上がりプレビュー画面５１０と異なり、仕上がりプレビュー画面５１０において表示されるアクションパネル領域４８２が、画像編集モード画面５２０では、右側に折りたたまれ（言い換えれば、右側に引き込まれ）、代わりに展開ボタン５２２が表示される。
【０１２６】
展開ボタン５２２を押すとアクションパネル領域４８２が展開され表示される。
この場合も、アクションパネル領域４８２は半透明表示となり、下側のプレビュー領域４８０の表示を確認できる。
【０１２７】
アクションパネル領域４８２に対する操作がされることなく所定時間が経過すると、アクションパネル領域４８２は再び折りたたまれ、展開ボタン５２２に置き換えられる。
同様に、縮小表示されたタスクトリガー領域４８４の左端を左側にフリックすると、タスクトリガー領域４８４が通常の大きさに拡大される。このときのタスクトリガー領域４８４の背景も半透明とされる。
【０１２８】
タスクトリガー領域４８４が表示されているときには、タスクトリガー領域４８４内のボタンを操作することができる。タスクトリガー領域４８４が表示された後、何も指示されることなく所定時間が経過すると、タスクトリガー領域４８４は縮小表示される。
【０１２９】
また、画像編集モードでは、タスクトリガー領域４８４も画像編集モード画面５２０の右側に縮小表示される。この場合、タスクトリガー領域４８４のボタンの一部しか見ることができない。画像編集モードでは、ページ画像の編集を行なうことが優先であり、したがって、タスクトリガー領域４８４をこのように縮小表示しても問題はない。
【０１３０】
従って、画像編集モードでは、機能選択領域４１０、アクションパネル領域４８２及びタスクトリガー領域４８４の幅が縮小表示されるため、タッチパネルディスプレイ１３０の表示領域の大部分をプレビュー領域４８０として使用できる。そのため、画像の編集と編集後の画像の確認とを容易に行なうことができる。
【０１３１】
また、画像編集モードでは、アクションパネル領域４８２に代えて展開ボタン５２２が画面右上に、タスクトリガー領域４８４が画面右下に、それぞれ縮小されて表示される。これにより、画像編集をしているときにも、ユーザはアクションパネル領域４８２およびタスクトリガー領域４８４の存在位置が分かるので、画像編集を安心して行なうことができる。
【０１３２】
（４）原稿表示モード
原稿表示モードでは、図９に示すように、タッチパネルディスプレイ１３０には原稿表示モード画面５３０が表示される。原稿表示モード画面５３０の中央部には、プレビュー領域４８０が配置される。プレビュー領域４８０には、読込まれた複数のページ画像がマトリクス状に配置される。
【０１３３】
原稿表示モード画面５３０の左側には、機能選択領域４１０が縮小表示される。
機能選択領域４１０には、機能アイコン群５１２のみが表示される。テキスト群５１４は表示されない。アクションパネル領域４８２及びタスクトリガー領域４８４はフィット・トゥー・スクリーン画面５００と同様、通常の表示となる。
【０１３４】
プレビュー領域４８０の面積は、フィット・トゥー・スクリーン画面５００におけるその面積より大きくなり、多数のページを表示できる。本実施形態では、複数の画像はプレビュー領域４８０の横幅に合わせて配列される。画像が多く、その一部が表示できないときには、プレビュー領域４８０の右端にスクロールバー５３２が表示される。スクロールバー５３２を操作することで、プレビュー領域４８０に表示される画像を上下に移動させることができる。画面を上下にフリックしても画像を上下に移動させることができる。
【０１３５】
次に、本実施形態の画像形成装置１００における操作ユニット１２０の特徴的な構成について図面を参照して説明する。
図１０は本実施形態の画像形成装置における操作ユニットの構成を示すブロック図、図１１は前記操作ユニットを構成するタッチパネルディスプレイの構成を示すブロック図である。
【０１３６】
本実施形態に係る操作ユニット１２０は、図１０に示すように、表示パネル１３２、タッチパネル１３４に加えて、操作位置検出手段１３５、画面表示手段１３６、表示画像生成手段１３７及び操作ユニット１２０における処理・動作を制御する操作ユニット側制御部（表示制御手段）１３１を備えている。
【０１３７】
画像形成装置１００は、画像データを入力する原稿読取部１０２、画像処理手段１０３、原稿読取部１０２から入力される画像データを蓄積する蓄積手段１０５、プリンタや送信部などの画像を出力する画像出力手段１０７を備えて、主制御部１０１により動作制御される。
【０１３８】
原稿読取部１０２は、所望の原稿（画像データ）の読取りを終了した後に、さらに新たな原稿の追加読取り（追加入力）を可能とする追加読取り機能を備えている。
【０１３９】
操作位置検出手段１３５は、タッチパネル１３４上で行なわれる操作位置を検出する。
画面表示手段１３６は、表示画像生成手段１３７により形成された画像を表示パネル１３２上に表示するとともに、複数の画像表示モードに各々対応した画面を表示する。
【０１４０】
表示画像生成手段１３７は、画像形成装置１００本体に入力された画像データに基づき操作ユニット側制御部１３１からの指示により所定の画像を形成するとともに、仕上げ処理の設定に応じた仕上がり状態の画像を形成する機能を備えている。
【０１４１】
操作ユニット側制御部１３１は、画像形成装置１００本体の主制御部１０１に接続され、タッチパネルディスプレイ１３０における制御部として機能する。
【０１４２】
ここで、特徴的な操作ユニット側制御部１３１について詳細に説明する。
操作ユニット側制御部１３１は、図１１に示すように、原稿読取部１０２から読取られた原稿に基づく表示画像をタッチパネルディスプレイ１３０上にプレビュー表示するプレビュー表示機能と、プレビュー表示された複数ページの表示画像を移動表示するスクロール表示機能とを備えている。
【０１４３】
さらに、操作ユニット側制御部１３１は、画像表示モード選択手段１３１０を備えている。画像表示モード選択手段１３１０は、ユーザが所望する機能を選択する際に、その機能を選択する操作に応じて複数の画像表示モードのうちからユーザの所望する機能に適した画像表示モードを選択してタッチパネルディスプレイ１３０に該画像表示モードに対応した表示画面を表示する機能を備えている。
【０１４４】
また、画像表示モード選択手段１３１０は、ユーザが所望する機能を選択する際に、タッチパネルディスプレイ１３０に表示されている画像表示モードが１ページ画像表示または２ページ画像表示（いわゆる見開き表示）である場合は、その機能を選択する操作に応じて、２ページよりも多い複数画像をプレビュー表示する画像表示モードに変更する機能を備えている。
【０１４５】
本実施形態において、ユーザが所望する機能を選択する操作は、タッチパネルディスプレイ１３０上にプレビュー表示されている画像を指でタッチして選択して移動する操作、すなわち、画像を指でタッチして軽くはらうフリック操作を含むものとする。
【０１４６】
また、ユーザが所望する機能を選択する操作は、編集の対象となる画像を指でタッチして選択して、タッチパネルディスプレイ１３０上で左右方向のうちの何れかの方向にスライド操作することを含むものとする。
【０１４７】
次に、本実施形態の画像形成装置１００において、ユーザが所望する機能を選択する際に、ユーザによるタッチパネルディスプレイ１３０の操作によって表示画面を切り換える場合について、実施例に基づき図面を参照して説明する。
【０１４８】
（実施例）
実施例は、画像形成装置１００において、編集の対象となる画像を移動して編集する際に、画面表示モードがフィットモードのときにタッチパネルディスプレイ１３０上の操作で表示画面を切り換えるものである。
図１２（ａ）は実施例の画像形成装置において画面表示モードがフィットモードのときの表示画面の一例を示す説明図、（ｂ）は前記画像形成装置において画面表示モードが画像編集モード（１Ｄモード）に切り換ったときの表示画面の一例を示す説明図である。
【０１４９】
実施例では、画像形成装置１００において、図１２（ａ）に示すように、タッチパネルディスプレイ１３０には、フィットモードにおけるフィット・トゥー・スクリーン画面５００が表示されている。
【０１５０】
フィット・トゥー・スクリーン画面５００のプレビュー領域４８０には、編集の対象となる画像（以下、「対象画像」と称する。）Ｐ１がプレビュー表示されている。
対象画像Ｐ１は、画像形成装置１００において入力された複数の画像データのうちの１画像データに基づき形成された表示画像である。
【０１５１】
対象画像Ｐ１を移動する（または挿入する）場合は、フィット・トゥー・スクリーン画面５００上に表示された対象画像Ｐ１を左右方向のいずれかの方向にスライドタッチ（フリック操作）する。これにより、操作ユニット側制御部１３１により、対象画像Ｐ１を教示画面上で左右方向に移動することが認識される。そして、画像表示モード選択手段１３１０により画像を移動するために最適な画像編集モードが選択されて、図１２（ｂ）に示すように、画像編集モードに対応した画像編集モード画面５２０が表示される。
【０１５２】
画像編集モード画面５２０には、対象画像Ｐ１に関係する複数の画像（Ｐｎ１，Ｐｎ２，Ｐｎ３・・・）が表示され、入力された画像データの配列が確認できるようにされている。
【０１５３】
対象画像Ｐ１を移動する場所（または挿入する場所）を選択する場合は、画像編集モード画面５２０上を左右方向のいずれかの方向にフリック操作することで、複数の画像（Ｐｎ１，Ｐｎ２，Ｐｎ３・・・）によるプレビュー画像を左右方向のいずれかの方向にスクロール移動して目的位置を見つける。
【０１５４】
そして、画像編集モード画面５２０上の目的位置（本実施例では画像Ｐｎ２と画像Ｐｎ３との間）を選択する場合は、例えば、指で目的位置をダブルタップ操作することで選択決定される。その結果、対象画像Ｐ１は、図１２（ｂ）に示すように、画像編集モード画面５２０において、画像Ｐｎ２と画像Ｐｎ３との間に配置された状態で表示される。
【０１５５】
実施例によれば、フィット・トゥー・スクリーン画面５００上に表示された対象画像Ｐ１を移動（または挿入）する際に、表示画面を切り換える操作を行なうことなく、対象画像Ｐ１をスライドタッチするだけで、自動的に画像移動に最適な画像編集モードが選択されて、画像編集モードに対応した画像編集モード画面５２０を表示することができる。これにより、対象画像Ｐ１に関係する複数の画像（Ｐｎ１，Ｐｎ２，Ｐｎ３・・・）を表示することができるので、対象画像Ｐ１を容易に目的位置に移動（または挿入）することができる。
【０１５６】
なお、実施例では、対象画像Ｐ１を左右方向にスライドタッチすることで、複数の画像が左右方向に並んで配置された画像編集モード画面５２０に切り換えるようにしているが、例えば、対象画像Ｐ１を上下方向にスライドタッチすることで、画像編集モード画面５２０において上下方向に複数の画像が並んで配置された表示画面に切り換えるようにしてもよい。
【０１５７】
また、実施例では、対象画像Ｐ１を左右方向にスライドタッチすることでユーザの所望する機能である移動機能を指示するようにしているが、図１２（ａ）に示すように、アクションパネル領域４８２のページ移動キー４８２ａをタッチすることで移動機能を指示するようにしてもよい。
【０１５８】
また、実施例では、ユーザが対象画像Ｐ１をスライドタッチすることで、タッチパネルディスプレイ１３０の表示画面をフィット・トゥー・スクリーン画面５００から画像編集モード画面５２０に切り換えるようにしているが、表示画面の切り換えはこれに限定されるものではない。
【０１５９】
変形例として、例えば、対象画像Ｐ１が１ページに対して２ページ分の画像が配置される「２ｉｎ１」の表示画像で両面印刷の場合には、図７に示すように、仕上がりプレビュー画面５１０に切り換えるようにしてもよい。
【０１６０】
このように、画像表示モード選択手段１３１０により、ユーザの操作に応じて、編集画像の形態（片面印刷、両面印刷など）に対応した最適な画像表示モードを選択して表示することができる。
【０１６１】
以上のように構成したので、上述した実施形態および実施例、変形例によれば、入力された画像データに基づいて出力される画像をプレビュー表示させる機能を有する操作ユニット１２０を備える画像形成装置１００において、操作ユニット１２０の処理・動作を制御する操作ユニット側制御部１３１の構成として、画像表示モード選択手段１３１０を備えることで、ユーザが画像編集を行なう際に、ユーザの機能を選択する操作（例えば、スライドタッチにより編集画像を移動する操作）に応じて複数の画像表示モードのうちからユーザの所望する機能や編集画像の形態に対応した最適な画像表示モードを選択してタッチパネルディスプレイ１３０に表示することができる。これにより、画像編集するときに、編集する対象となる画像とその他の画像との位置関係を明確にできるとともに、画像の編集操作を容易にすることができるので、操作性の向上を図った画像形成装置を実現できる。
【０１６２】
なお、上述した実施形態や実施例では、本発明に係る操作ユニット１２０を図１に示すような画像形成装置１００に適用した例について説明したが、画像データを編集する機能に応じて複数の画像表示モードを備えて出力される画像のプレビュー表示する機能を有する操作ユニット（画像表示操作装置）を備える画像形成装置であれば、上述したような構成の画像形成装置や複写機に限定されるものではなく、その他の画像形成装置等に展開が可能である。
【０１６３】
以上のように、本発明は、上述した実施形態や実施例に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１６４】
１００  画像形成装置
１０１  主制御部
１０２  原稿読取部
１０３  画像処理手段
１０４  画像形成部
１０５  蓄積手段
１０７  画像出力手段
１２０  操作ユニット（画像表示操作装置）
１３０  タッチパネルディスプレイ（表示手段）
１３１  操作ユニット側制御部（表示制御手段）
１３２  表示パネル（表示手段）
１３４  タッチパネル
１３５  操作位置検出手段
１３６  画面表示手段
１３７  表示画像生成手段
３３０  ホーム画面
４００  システム領域
４１０  機能選択領域
４５２  原稿表示モードボタン
４５４  プレビューボタン
４５６  フィット・トゥー・スクリーンボタン
４８０  プレビュー領域
４８２  アクションパネル領域
４８４  タスクトリガー領域
５００  フィット・トゥー・スクリーン画面
５１０  プレビュー画面
５２０  画像編集モード画面
５３０  原稿表示モード画面
１３１０  画像表示モード選択手段
Ｐ１  対象画像
【図１】
2018057001.tif 000003
【図２】
2018057001.tif 000004
【図３】
2018057001.tif 000005
【図４】
2018057001.tif 000006
【図５】
2018057001.tif 000007
【図６】
2018057001.tif 000008
【図７】
2018057001.tif 000009
【図８】
2018057001.tif 000010
【図９】
2018057001.tif 000011
【図１０】
2018057001.tif 000012
【図１１】
2018057001.tif 000013
【図１２】
2018057001.tif 000014